(57)【要約】【課題】ヒータで加熱される部分が冷却される条件が発生した場合には、切り忘れタイマー時間を変更することでヒータ加熱時間を延長して温度上昇不足をなくし、快適性を損なわないようなヒータ制御装置を提供する。【解決手段】フロー９で動作開始からの加熱時間がタイマ時間Ｔ１を超えた場合は、フロー１０へ進んでヒータ１が自動ＯＦＦするようにＣＰＵ２は動作し、超えてない場合は、フロー１１へ進む。フロー１１でドアＳＷ３の状態をチェックし、ドア開でなければ、フロー９へ戻り、ドア開と判断すれば、フロー１２へ進み、加熱時間がタイマー時間Ｔ１を超えた場合はフロー１０へ進み、超えてない場合はフロー１３へ進んでドアＳＷ３の状態を確認し、ドア閉でなければフロー１２へ戻り、ドア閉であればフロー１４へ進んでタイマーをリセットしてフロー９へ戻り、動作を継続する。【選択図】図１
2008170120.tif 000002
【特許請求の範囲】
【請求項１】
暖房用のヒータと、前記ヒータの動作開始時に計時開始するタイマーと、前記ヒータが加熱する部分を冷却する条件の発生の有無を検出する検出装置と、前記ヒータが動作開始後前記タイマーの時間が所定の時間Ｔ１を経過すれば自動ＯＦＦする機能とを備え、前記ヒータ動作時かつ前記検出装置が検出ＯＮした場合に前記タイマーのそれまでの計時をリセットし、前記検出装置が検出ＯＦＦした時点で再度前記タイマーが計時開始する構成としたヒータ制御装置。
【請求項２】
暖房用のヒータと、前記ヒータの動作開始時に計時開始するタイマーと、前記ヒータが加熱する部分を冷却する条件の発生の有無を検出する検出装置と、前記検出装置が検出ＯＮを開始した時に計時開始するタイマーＢと、前記ヒータが動作開始後前記タイマーの時間が所定の時間Ｔ１を経過すれば自動ＯＦＦする機能とを備え、前記ヒータ動作時かつ前記タイマーＢが所定の時間Ｔ２以上となった場合、前記タイマーのそれまでの計時をリセットし、前記検出装置が検出ＯＦＦした時点で再度計時開始する構成としたヒータ制御装置。
【請求項３】
検出装置が検出ＯＮした場合、タイマーをリセットせず、暖房用のヒータが自動ＯＦＦするまでの時間は、タイマー時間Ｔ１とタイマーＢの時間Ｔ２との和に等しい時間とした請求項１または２に記載のヒータ制御装置。
【請求項４】
ヒータ動作開始時に計時開始するタイマーＣをタイマーとは独立して備え、検出装置が少なくとも１回は検出ＯＮして、タイマーＣで計時した暖房用のヒータの総通電時間が当初のタイマー時間Ｔ１を超えて、所定の時間Ｔ３を超えた場合、タイマー時間内であっても前記ヒータをＯＦＦする構成とした請求項１〜３のいずれか１項に記載のヒータ制御装置。
【請求項５】
タイマーＢの時間が所定の時間Ｔ４を超えた場合、暖房用のヒータをＯＦＦする構成とした、請求項１〜４のいずれか１項に記載のヒータ制御装置。
【発明の詳細な説明】
【技術分野】
【０００１】
本発明は、所定の時間で自動ＯＦＦするタイマーを備えたヒータ加熱装置で暖房する際に、加熱対象への冷却を検出した場合にはタイマー時間の延長を行う構成としたヒータ制御装置に関するものである。
【背景技術】
【０００２】
従来、この種のヒータ制御装置は、切り忘れタイマーを設けることにより連続通電を防止でき、安全性を向上させていた（例えば、特許文献１参照）。
【０００３】
図７は、特許文献１に記載された従来のヒータ制御装置を示すもので、蓄熱温風器を制御している例である。図７に示すようにヒータ２１と、蓄熱部２２と、切り忘れタイマー２３と、切り忘れスイッチ２４と、蓄熱スイッチ２５と、ファンモータスイッチ２６から構成されている。
【０００４】
蓄熱スイッチ２５をＯＮにすれば、ヒータ２１に通電され、蓄熱部２２に蓄熱される。所定の時間蓄熱後に、ファンモータスイッチ２６を入れると、蓄熱された熱にヒータ２１の熱が加わって、大きな熱量の温風を大電流を消費せずに可能とする為、従来の温風器では家庭用コンセントの電源に頼っていたために限界があったが、本方式ではそれ以上の熱量を取り出すことが可能となるので、例えばガスや石油を燃料とする暖房機にも匹敵する熱量の温風送出が可能となり、しかも燃焼部分が無いので排気ガスも無く、安全でクリーンな暖房器具を提供出来ていた。蓄熱温風器はその原理上、しばらく蓄熱してから使用する方式である為、ややもすると蓄熱状態で放置され、蓄熱スイッチ２５を切り忘れる懸念があった。このため、切り忘れタイマー２３を設け、所定時間以上蓄熱した場合は切り忘れスイッチ２４によりヒータ２１への通電を切る構成となっており、長時間の連続通電を防止し、安全性を向上させていた。
【特許文献１】特開平８−３０３８６７号公報
【発明の開示】
【発明が解決しようとする課題】
【０００５】
しかしながら、前記従来の構成では、切り忘れタイマー２３の時間は固定されており、周囲温度の条件等を加味されていない為、場合によっては充分に蓄熱されていない状態で切り忘れタイマー２３が作動してヒータ２１の電流を切る可能性があった。
【０００６】
例えば、製品を使用している部屋のドアが開けられて室温が低下して、ヒータ２１の加熱による蓄熱温度が通常の連続通電の場合よりも低い場合でも、切り忘れタイマー２３の設定時間が経過すれば強制的にＯＦＦしてしまい、再び使おうとしたときに蓄熱不十分で、充分な暖房性能が発揮出来なくなる、という課題を有していた。
【０００７】
本発明は、前記従来の課題を解決するもので、ヒータで加熱される部分が冷却される条件が発生した場合には、切り忘れタイマー時間を変更することでヒータ加熱時間を延長して温度上昇不足をなくし、快適性を損なわないようなヒータ制御装置を提供することを目的とする。
【課題を解決するための手段】
【０００８】
前記従来の課題を解決するために、本発明のヒータ制御装置は、暖房用のヒータと、前記ヒータの動作開始時に計時開始するタイマーと、前記ヒータが加熱する部分を冷却する条件の発生の有無を検出する検出装置と、前記ヒータが動作開始後前記タイマーの時間が
所定の時間Ｔ１を経過すれば自動ＯＦＦする機能とを備え、前記ヒータ動作時かつ前記検出装置が検出ＯＮした場合に前記タイマーのそれまでの計時をリセットし、前記検出装置が検出ＯＦＦした時点で再度前記タイマーが計時開始する構成としたヒータ制御装置としたものである。
【０００９】
また、本発明のヒータ制御装置は、ヒータが加熱する部分を冷却する条件の発生の有無を検出する検出装置が検出ＯＮを開始した時に計時開始するタイマーＢを備え、前記ヒータ動作時かつ前記タイマーＢが所定の時間Ｔ２以上となった場合のみ、前記タイマーのそれまでの計時をリセットし、Ｔ２以下の時間ではタイマーリセットしない構成であるので、冷却されていた時間が短時間でヒータ加熱対象に影響が無い場合はタイマー時間を変更しないので、タイマー時間を不用意に延長した事による加熱し過ぎを防ぐ事が出来るようにしたものである。
【００１０】
また、本発明のヒータ制御装置は、ヒータの総通電時間が当初のタイマー時間Ｔ１を超えて、所定の時間Ｔ３を超えた場合、タイマー時間内であっても前記ヒータをＯＦＦする構成として、加熱対象のが冷却が長時間に及んだためにヒータ通電時間が延長された場合においても、極めて長時間の連続通電とならないように制限を設ける事で、連続ＯＮに近い状態とならないよう、安全性に配慮したものである。
【００１１】
また、本発明のヒータ制御装置は、タイマーＢの時間が所定の時間Ｔ４を超えた場合、暖房用のヒータをＯＦＦする構成としたもので、長時間にわたり冷却された場合は、通常の使い方が困難と判断しヒータ加熱を止めることで、異常時あるいは想定外の条件で製品が使用された場合にヒータ加熱を止める事で、より安全なヒータ制御装置を提供するものである。
【００１２】
これによって、加熱部が予定外に冷やされて充分に加熱されていない場合は、タイマー時間を延長するように動作するので、最初に設定されたタイマー時間がくれば無条件にヒータＯＦＦとなって所定の温度に温まっていない、という不具合を避ける事が出来る。
【発明の効果】
【００１３】
本発明のタイマー制御装置は、動作中に加熱対象が冷却された場合は、自動ＯＦＦタイマーの時間を延長する構成であるので、加熱不足を防いで所定の温度以上とする事が出来るので、使い勝手がよく快適なヒータ制御装置を提供することが出来る。
【発明を実施するための最良の形態】
【００１４】
第１の発明は、暖房用のヒータと、前記ヒータの動作開始時に計時開始するタイマーと、前記ヒータが加熱する部分を冷却する条件の発生の有無を検出する検出装置と、前記ヒータが動作開始後前記タイマーの時間が所定の時間Ｔ１を経過すれば自動ＯＦＦする機能とを備え、前記ヒータ動作時かつ前記検出装置が検出ＯＮした場合に前記タイマーのそれまでの計時をリセットし、前記検出装置が検出ＯＦＦした時点で再度前記タイマーが計時開始する構成とすることにより、ヒータ加熱の途中に加熱対象が冷却された場合には、タイマー時間を延長する事が出来るので、加熱不足を防ぐ事が出来る。
【００１５】
第２の発明は、特に第１の発明の検出装置が、検出ＯＮを開始した時に計時開始するタイマーＢと、ヒータが動作開始後タイマーの時間が所定の時間Ｔ１を経過すれば自動ＯＦＦする機能とを備え、前記ヒータ動作時かつ前記タイマーＢが所定の時間Ｔ２以上となった場合、前記タイマーのそれまでの計時をリセットし、前記検出装置が検出ＯＦＦした時点で再度計時開始する構成とすることにより、検出装置による検出が短時間だけの場合はほとんど冷却される事がないのでタイマー時間Ｔ１の延長をしないので、タイマー時間Ｔ１が必要以上に長くなって加熱し過ぎによる電気の無駄を防ぐ事が出来る。
【００１６】
第３の発明は、特に第１または第２の発明の検出装置が、検出ＯＮした場合、タイマーをリセットせず、暖房用のヒータが自動ＯＦＦするまでの時間は、タイマー時間Ｔ１とタイマーＢの時間Ｔ２との和に等しい時間とすることにより、加熱対象が冷却されたタイマー時間Ｔ１を延長するので、冷却された時間だけ加熱を延長するので、加熱時間を追加を必要最小限の時間とすることが出来る。
【００１７】
第４の発明は、特に第１〜第３のいずれか１つの発明の検出装置が、少なくとも１回は検出ＯＮして、暖房用のヒータの総通電時間が当初のタイマー時間Ｔ１を超えて、所定の時間Ｔ３を超えた場合、タイマー時間内であっても前記ヒータをＯＦＦする構成とすることにより、タイマー時間の延長に歯止めをかけることができるので、必要以上に加熱する事を防ぐ事が出来る。
【００１８】
第５の発明は、特に第１〜第４のいずれか１つの発明のタイマーＢの時間が、所定の時間Ｔ４を超えた場合、暖房用のヒータをＯＦＦする構成とすることにより、長時間冷却された場合は何らかの異常と判断してヒータ加熱を停止するので、より安全なヒータ制御装置を提供する事が出来る。
【００１９】
以下、本発明の実施の形態について、図面を参照しながら説明する。なお、本実施の形態によって本発明が限定されるものではない。
【００２０】
（実施の形態１）
図１は、本発明の第１の実施の形態におけるヒータ制御装置の回路ブロック図を示すものである。
【００２１】
本実施例は、自動車の座席に組み込まれる座席暖房用のヒータの温度制御装置への応用例である。
【００２２】
図１において、ヒータ１はＣＰＵ２で制御され、ＣＰＵ２にはタイマ機能も内蔵されている。ＣＰＵ２にはドアＳＷ３と動作スイッチ４が入力され、それらの情報と内蔵のタイマ情報から判断して、ヒータ１のＯＮ／ＯＦＦを決定し、ＦＥＴ６に信号を送ることでヒータ１を制御している。電源５はＣＰＵ２やヒータ１に電源を供給している。
【００２３】
以上のように構成されたヒータ制御装置について、以下その動作、作用について図２のフローチャートも参照しながら説明する。
【００２４】
まず、フロー７で動作スイッチ４をＯＮするとフロー８に進みＣＰＵ２はＦＥＴ６に信号を出力してヒータ１をＯＮさせて加熱動作を開始し、同時にタイマーがカウントを開始する。次にフロー９で動作開始からの加熱時間がタイマ時間Ｔ１を超えた場合は、フロー１０へ進んでヒータ１が自動ＯＦＦするようにＣＰＵ２は動作し、超えてない場合は、フロー１１へ進む。フロー１１でドアＳＷ３の状態をチェックし、ドア開でなければ、フロー９へ戻り、ドア開と判断すれば、フロー１２へ進み、加熱時間がタイマー時間Ｔ１を超えた場合はフロー１０へ進み、超えてない場合はフロー１３へ進んでドアＳＷ３の状態を確認し、ドア閉でなければフロー１２へ戻り、ドア閉であればフロー１４へ進んでタイマーをリセットしてフロー９へ戻り、動作を継続する。
【００２５】
以上のように、本発明の形態では、加熱途中でドアを一旦開けられると、次にドア閉となった時点からタイマーを再スタートさせることにより、ドア開で座席が冷やされても加熱時間を延長するようにするので、当初のタイマー時間Ｔ１だけでは充分に暖まらない、というような状態を防ぐ事が出来る。
【００２６】
（実施の形態２）
図３は、本発明の第２の実施の形態のヒータ制御装置の動作を示すフローチャートである。システム構成は実施の形態１と同じ図１である。
【００２７】
以下、図１、図３を参照しながら動作、作用について説明する。
【００２８】
まず、フロー７で動作スイッチ４をＯＮするとフロー８に進みＣＰＵ２はＦＥＴ６に信号を出力してヒータ１をＯＮさせて加熱動作を開始し、同時にタイマーがカウントを開始する。
【００２９】
次にフロー９で動作開始からの加熱時間がタイマ時間Ｔ１を超えた場合は、フロー１０へ進んでヒータ１が自動ＯＦＦするようにＣＰＵ２は動作し、超えてない場合は、フロー１１へ進む。
【００３０】
フロー１１でドアＳＷ３の状態をチェックし、ドア開でなければ、フロー９へ戻り、ドア開と判断すれば、フロー１５へ進む。
【００３１】
フロー１５では、タイマーＢをリセットした後、タイマーＢのカウントを開始する。次にフロー１２へ進み、加熱時間がタイマー時間Ｔ１を超えた場合はフロー１０へ進み、超えてない場合はフロー１３へ進む。
【００３２】
フロー１３ではドアＳＷ３の状態を確認し、ドア閉でなければフロー１２へ戻り、ドア閉であればフロー１６へ進む。
【００３３】
フロー１６ではタイマーＢ時間がＴ２を超えていなければフロー９へ戻り、超えていれば、フロー１７へ進んでタイマをリセットしてから、フロー９へ戻り、動作を継続する。
【００３４】
以上のように、本発明の形態では、加熱途中でドアを短時間（Ｔ２未満）開けられた場合には、ほとんど冷却される事がないと判断してタイマー時間Ｔ１の延長をしないので、タイマー時間Ｔ１が必要以上に長くなって予定以上の温度になるのを防いだり、電気の無駄を防ぐ事が出来る。
【００３５】
（実施の形態３）
図４は、本発明の第３の実施の形態のヒータ制御装置の動作を示すフローチャートである。システム構成は実施の形態１〜２と同じ図１である。
【００３６】
以下、図１、図４を参照しながら動作、作用について説明する。
【００３７】
まず、フロー７で動作スイッチ４をＯＮするとフロー８に進みＣＰＵ２はＦＥＴ６に信号を出力してヒータ１をＯＮさせて加熱動作を開始し、同時にタイマーがカウントを開始する。次にフロー９で動作開始からの加熱時間がタイマ時間Ｔ１を超えた場合は、フロー１０へ進んでヒータ１が自動ＯＦＦするようにＣＰＵ２は動作し、超えてない場合は、フロー１１へ進む。フロー１１でドアＳＷ３の状態をチェックし、ドア開でなければ、フロー９へ戻り、ドア開と判断すれば、フロー１５へ進み、タイマーＢのカウントを開始する。次にフロー１２へ進み、加熱時間がタイマー時間Ｔ１を超えた場合はフロー１０へ進み、超えてない場合はフロー１３へ進む。フロー１３でドアＳＷ３の状態を確認し、ドア閉でなければフロー１２へ戻り、ドア閉であればフロー１６へ進み、タイマーＢの計時を停止し、タイマー時間を、元々のタイマー時間Ｔ１にタイマーＢでカウントした時間Ｔ２を加えた時間（Ｔ１＋Ｔ２）を新たなタイマー時間として、フロー９に戻って動作を継続す
る。
【００３８】
以上のように、、本発明の形態では、加熱途中でドアを開けられた場合、ドアを開けていた時間Ｔ２だけタイマー時間Ｔ１にプラスする構成としたので、ドア開で座席が冷やされても加熱時間を延長時間を最適化するようにするので、当初のタイマー時間Ｔ１だけでは充分に暖まらない、というような状態を防ぐ事がより精度良く出来る。
【００３９】
（実施の形態４）
図５は、本発明の第４の実施の形態のヒータ制御装置の動作を示すフローチャートである。システム構成は実施の形態１〜３と同じ図１である。
【００４０】
以下、図１、図５を参照しながら動作、作用について説明する。
【００４１】
本構成は、本発明の実施の形態４を本発明の実施の形態３に適用した場合について説明しているが、本発明の実施の形態１または２の場合も同様に適用が可能である。
【００４２】
まず、フロー７で動作スイッチ４をＯＮするとフロー８に進みＣＰＵ２はＦＥＴ６に信号を出力してヒータ１をＯＮさせて加熱動作を開始し、同時にタイマーとタイマーＣがカウントを開始する。次にフロー９で動作開始からの加熱時間がタイマ時間Ｔ１を超えた場合は、フロー１０へ進んでヒータ１が自動ＯＦＦするようにＣＰＵ２は動作し、超えてない場合は、フロー１８へ進む。フロー１８では、タイマと独立したタイマ３により動作開始からの加熱時間がＴ３を超えた場合は、フロー１０へ進んでヒータ１をＯＦＦし、超えてない場合は、フロー１１へ進む。
【００４３】
フロー１１でドアＳＷ３の状態をチェックし、ドア開でなければ、フロー９へ戻り、ドア開と判断すれば、フロー１５へ進み、タイマーＢのカウントを開始する。次にフロー１２へ進み、加熱時間がタイマー時間Ｔ１を超えた場合はフロー１０へ進み、超えてない場合はフロー１９へ進む。フロー１１ではタイマと独立したタイマ３により動作開始からの加熱時間がＴ３を超えた場合は、フロー１０へ進んでヒータ１をＯＦＦし、超えてない場合は、フロー１３へ進む。
【００４４】
フロー１３でドアＳＷ３の状態を確認し、ドア閉でなければフロー１２へ戻り、ドア閉であればフロー１６へ進み、タイマーＢの計時を停止し、タイマー時間を、元々のタイマー時間Ｔ１にタイマーＢでカウントした時間Ｔ２を加えた時間（Ｔ１＋Ｔ２）を新たなタイマー時間として、フロー９に戻って動作を継続する。
【００４５】
以上のように、、本発明の形態では、加熱途中でドアを開けられた場合、ドアを開けていた時間Ｔ２だけタイマー時間Ｔ１にプラスする構成とするが、Ｔ３以上の時間となれば強制的にヒータ１をＯＦＦにする構成としたので、タイマー時間の延長に歯止めをかけることができるので、必要以上に加熱する事を防ぐ事が出来る。
【００４６】
（実施の形態５）
図４は、本発明の第５の実施の形態のヒータ制御装置の動作を示すフローチャートである。システム構成は実施の形態１〜２と同じ図１である。
【００４７】
以下、図１、図６を参照しながら動作、作用について説明する。
【００４８】
まず、フロー７で動作スイッチ４をＯＮするとフロー８に進みＣＰＵ２はＦＥＴ６に信号を出力してヒータ１をＯＮさせて加熱動作を開始し、同時にタイマーがカウントを開始する。次にフロー９で動作開始からの加熱時間がタイマ時間Ｔ１を超えた場合は、フロー
１０へ進んでヒータ１が自動ＯＦＦするようにＣＰＵ２は動作し、超えてない場合は、フロー１１へ進む。フロー１１でドアＳＷ３の状態をチェックし、ドア開でなければ、フロー９へ戻り、ドア開と判断すれば、フロー１５へ進み、タイマーＢをリセットした後、タイマーＢのカウントを開始する。次にフロー１２へ進み、加熱時間がタイマー時間Ｔ１を超えた場合はフロー１０へ進み、超えてない場合はフロー１３へ進む。フロー１３でドアＳＷ３の状態を確認し、ドア閉でなければフロー１２へ戻り、ドア閉であればフロー１６へ進む。フロー１６では、タイマーＢのカウント時間がＴ２を超えていなければフロー９へ戻り、超えていればフロー２０へ進む。フロー２０ではタイマーＢ時間がＴ４を超えていれば強制的にフロー１０へ進んでヒータ１をＯＦＦさせる。超えていなければ、フロー１７でタイマーをリセットしてからフロー９に戻って動作を継続する。
【００４９】
以上のように、本発明の形態では、加熱途中でドアを開けられた場合、ドアを開けていた時間がＴ２以上の場合は、ドアが再び閉じられた時点で再度タイマー時間をリセットして再スタートするが、ドア開の時間がＴ４以上であれば、強制的にヒータ１をＯＦＦする構成であるので、ドアが開けられて長時間冷却された場合は何らかの異常と判断してヒータ加熱を停止するので、より安全なヒータ制御装置を提供する事が出来る。
【産業上の利用可能性】
【００５０】
以上のように、本発明にかかるヒータ制御装置は、ヒータ加熱動作中に加熱対象が冷却された場合は、自動ＯＦＦタイマーの時間を延長する構成であるので、加熱途中で冷やされた事による加熱不足を防いで所定の温度以上とする事が出来るので、より適温での加熱が可能で、使い勝手がよく快適なヒータ制御装置を提供することが出来る。
【図面の簡単な説明】
【００５１】
【図１】本発明の実施の形態１〜５におけるヒータ制御装置の回路ブロック図
【図２】本発明の実施の形態１におけるヒータ制御装置の動作フローチャート
【図３】本発明の実施の形態２におけるヒータ制御装置の動作フローチャート
【図４】本発明の実施の形態３におけるヒータ制御装置の動作フローチャート
【図５】本発明の実施の形態４におけるヒータ制御装置の動作フローチャート
【図６】本発明の実施の形態５におけるヒータ制御装置の動作フローチャート
【図７】従来のヒータ制御装置の回路ブロック図
【符号の説明】
【００５２】
１  ヒータ
２  ＣＰＵ（タイマーを内蔵）
３  ドアＳＷ（検出装置）
【図１】
2008170120.tif 000003
【図２】
2008170120.tif 000004
【図３】
2008170120.tif 000005
【図４】
2008170120.tif 000006
【図５】
2008170120.tif 000007
【図６】
2008170120.tif 000008
【図７】
2008170120.tif 000009